(57)【要約】【課題】  動物を載置する動物載置面部に動物の爪が立ちやすく、肉球などが滑らないと共に、動物の体温を奪いにくいように構成されている動物用医療機器を提供すること。【解決手段】  療養用ケージ２０は、ケージ本体２１の開口部に扉支持材２４にヒンジ２５及び２６を介して扉２７を設けている。また、療養用ケージ２０は、ケージ本体２１の底面部２２上に皮膜１０を形成している。皮膜１０は、底面部２２のフランジ部２３近傍からケージ本体２１の最も奥側まで、及び、側面部２８から側面部２９までの範囲に樹脂を塗布することによって形成されており、底面部２２の大部分を覆っている。また、皮膜１０は、ステンレス鋼に対して付着性が良い層、動物の爪を食い込みやすくするための柔軟性が高い層の２層で構成されている。【選択図】  図１
2013126531.tif 000002
【特許請求の範囲】
【請求項１】
動物を載置可能なステンレス鋼からなる動物載置面部を有する動物用医療機器において、
前記動物載置面に、樹脂からなると共に、周辺領域の膜厚が周端縁部に向かって漸次薄くなるように形成されている皮膜が形成されていることを特徴とする動物用医療機器。
【請求項２】
ステンレス鋼からなると共に、前記動物載置面部の周端縁部の一部又は全部に連続するように形成され、かつ垂直、又は、外方に向かって上り勾配となるように形成された周辺面部をさらに有し、
前記皮膜は、前記周辺領域の一部又は全部が前記周辺面部上に形成されていることを特徴とする請求項１に記載の動物用医療機器。
【請求項３】
前記皮膜は、ステンレス鋼に対して相対的に付着性が高い第１の樹脂層と、該第１の塗膜上に形成されると共に相対的に柔軟性が高い第２の樹脂層を備えていることを特徴とする請求項１又は請求項２に記載の動物用医療機器。
【請求項４】
前記皮膜は、前記動物載置面部の表面を荒らしてから液状の樹脂を前記動物載置面部に塗布して前記第１の樹脂層を形成し、前記第１の樹脂層の表面が一定程度乾燥してから前記第１の樹脂層上に前記第２の樹脂層となる別の液状の樹脂を前記動物載置面部上に流し込むことによって形成されていることを特徴とする請求項３に記載の動物用医療機器。
【発明の詳細な説明】
【技術分野】
【０００１】
本発明は、動物用医療機器に関し、特に患者動物を載置する動物載置面部を有する動物用医療機器に関する。
【背景技術】
【０００２】
動物用医療機器には、診察台、手術台、処置台、ストレッチャー、集中治療用ケージ、療養用ケージなどのように、犬や猫、フェレット、うさぎなどの患者動物を載置するための動物載置面部を持つものがある。例えば、特開平１１−２２１２４２公報で開示された動物用診療ユニットにおける診療テーブルや、特開２００２−１７７３４６公報で開示されたＩＣＵユニットにおけるケージがこれに該当する。
【０００３】
このような動物用医療機器において、動物載置面部は、一般的にステンレス鋼板に対してプレス加工などを施すことによって形成されている。ステンレス鋼は、糞尿や吐瀉物、血液、飼料などがこびりつきにくく、表面を清潔に保つことが容易な材料であるので、この種の動物載置面部には特に有用である。
【０００４】
その反面、ステンレス鋼は、動物の爪が立たない上に肉球などが滑りやすいので、患者動物に対してストレスを与えるという問題がある。特に、体力が一ある程度回復した動物は、療養用ケージの中を歩き回ろうとするので、ステンレス鋼の動物載置面部（床面）によって歩行が妨げられることが大きなストレスとなり、体力の回復を遅らせる場合もある。また、診察台においては、動物載置面部に犬などを立たせて診察することがあるが、滑り易いので、診察を受けることだけでも患者動物にストレスを与えることになる。さらに、ステンレス鋼は、木材や樹脂などよりも熱伝導性が高く、患者動物の体温を奪いやすい。そこで、動物医療の現場では、手術台や処置台、ストレッチャーにおいてはゴム製マットを敷き、集中治療用ケージや療養用ケージではタオルや不織布のシートを敷いて対処している。
【０００５】
しかしながら、手術中又は処置中の患者動物はしばしば糞尿を漏らすので、裏面側から糞尿を吸収して悪臭が付着し、洗剤で洗っても悪臭が落ちにくいゴム製マットはこのような用途に向いているとは言い難い。さらに、ゴム製マットに対して熱湯による滅菌処理を繰り返し行うと、次第に反り返ってきて使用が困難になるという問題も生じる。また、集中治療用ケージや療養用ケージに収納した動物は、タオルや不織布のシートに噛み付き、振り回して遊ぶことが多いので、獣医師や動物看護師はタオルなどの敷き直しを何度も繰り返すという作業負担を負うことになる。
【先行技術文献】
【特許文献】
【０００６】
【特許文献１】特開平１１−２２１２４２公報
【特許文献２】特開２００２−１７７３４６公報
【発明の概要】
【発明が解決しようとする課題】
【０００７】
本発明は、上述の課題を解決するために、患者動物を載置する動物載置面部が動物の爪が立ちやすく肉球などが滑らないと共に、患者動物の体温を奪いにくいように構成されている動物用医療機器を提供することを目的とする。
【課題を解決するための手段】
【０００８】
請求項１に記載の発明は、動物を載置可能なステンレス鋼からなる動物載置面部を有する動物用医療機器において、前記動物載置面に、樹脂からなると共に、周辺領域の膜厚が周端縁部に向かって漸次薄くなるように形成されている皮膜が形成されていることを特徴とする動物用医療機器である。
【０００９】
請求項２に記載の発明は、請求項１に記載の発明において、ステンレス鋼からなると共に、前記動物載置面部の周端縁部の一部又は全部に連続するように形成され、かつ垂直、又は、外方に向かって上り勾配となるように形成された周辺面部をさらに有し、前記皮膜は、前記周辺領域の一部又は全部が前記周辺面部上に形成されていることを特徴とする動物用医療機器である。
【００１０】
請求項３に記載の発明は、請求項１又は請求項２に記載の発明において、前記皮膜は、ステンレス鋼に対して相対的に付着性が高い第１の樹脂層と、該第１の塗膜上に形成されると共に相対的に柔軟性が高い第２の樹脂層を備えていることを特徴とする動物用医療機器である。
【００１１】
請求項４に記載の発明は、請求項３に記載の発明において、前記皮膜は、前記動物載置面部の表面を荒らしてから液状の樹脂を前記動物載置面部に塗布して前記第１の樹脂層を形成し、前記第１の樹脂層の表面が一定程度乾燥してから前記第１の樹脂層上に前記第２の樹脂層となる別の液状の樹脂を前記動物載置面部上に流し込むことによって形成されていることを特徴とする動物用医療機器である。
【発明の効果】
【００１２】
請求項１に記載の発明によれば、ステンレス鋼からなる動物載置面部に樹脂からなる皮膜を形成したので、ステンレス鋼よりも患者動物の爪が立ちやすく、肉球などが滑りにくい上に、熱伝導性が低い動物載置面部とすることができる。したがって、患者動物にとって快適な環境を提供することができる。また、タオルのように咥えて剥がすことができないので、獣医師や動物看護師の作業負担も軽減される。さらに、皮膜の周辺領域の膜厚が周縁に向かって漸次薄くなるようにしたので、皮膜の周縁が垂直に切り立った形状にした場合のように、動物が縁辺部に爪を引っ掛けてけがをする、あるいは遊ぶうちに皮膜が動物載置面部からはく離することを防止できる。
【００１３】
請求項２に記載の発明によれば、皮膜の周辺領域の一部又は全部を周辺面部上に形成するためには、周辺面部の表面に液状の樹脂を塗布する、又は、周辺面部上に液状の樹脂を流し込むことになるが、周辺面部上に塗布した、又は、流し込んだ樹脂は固化する前に自重によって動物載置面部に向かって流れ動くので、周辺領域の膜厚を周端縁部に向かって漸次薄くすることを容易に実現できる。
【００１４】
請求項３に記載の発明によれば、第１の樹脂層によってステンレス鋼に対する付着性を高められると共に、第２の樹脂層によって動物の爪が食い込みやすくなり、動物にとって快適な環境を提供することができる。
【図面の簡単な説明】
【００１５】
請求項４に記載の発明によれば、動物載置面部の表面を荒らしてから液状の樹脂を動物載置面部に塗布して第１の樹脂層を形成するので、皮膜の付着性が向上する。また、２つの樹脂層を形成するので、皮膜を例えば約１．５ｍｍ乃至９ｍｍの厚さに形成することが容易になる。
【００１６】
【図１】第１の実施の形態に係る療養用ケージを示す斜視図である。
【図２】第２の実施の形態に係る動物用処置台を示す図であり、（ａ）は平面図、（ｂ）は側面図である。
【図３】第３の実施の形態に係る診察台を示す斜視図である。
【図４】皮膜の構造を示す断面図であり、（ａ）は療養用ケージにおける構造、（ｂ）は動物用処置台における構造、（ｃ）を診察台における構造を示す。
【図５】第１の実施の形態における皮膜の形成手順を示す断面図（１）である。
【図６】第１の実施の形態における皮膜の形成手順を示す断面図（２）である。
【図７】第１の実施の形態における皮膜の形成手順を示す断面図（３）である。
【図８】第２の実施の形態における皮膜の形成手順を示す断面図（１）である。
【図９】第２の実施の形態における皮膜の形成手順を示す断面図（２）である。
【図１０】第２の実施の形態における皮膜の形成手順を示す断面図（３）である。
【図１１】第３の実施の形態に係る診察台の変形例を示す断面図である。
【図１２】第４の実施の形態に係る診察台を示す斜視図である。
【００１７】
以下に、本発明の第１の実施の形態に係る療養用ケージを図面に基づいて説明する。図１は、第１の実施の形態に係る療養用ケージを示す斜視図である。図１において、１０は  皮膜、１１は周辺領域、２０は療養用ケージ、２１はケージ本体、２２は底面部、２３はフランジ部、２４は扉支持材、２５及び２６はヒンジ、２７は扉、２８及び２９は側面部である。なお、扉２７は、下側の一部の記載を省略している。なお、図１を含む各図面において、各樹脂層やマスキングテープの厚さは、理解を容易にするために誇張して描いており、実際の厚さとは異なっている。
【００１８】
本発明の第１の実施の形態に係る動物用処置台における療養用ケージ２０は、病気療養中の動物や、手術後に経過観察と体力回復のために安静状態を保つ必要がある動物を収納するためのものである。すなわち、療養用ケージ２０は、ケージ本体２１の開口部に扉支持材２４にヒンジ２５及び２６を介して扉２７を設けている。そして、ステンレス鋼から形成されたケージ本体２１に収容した動物を扉２７を通して観察できるようにしている。また、療養用ケージ２０は、動物載置面部となるケージ本体２１の底面部２２上に皮膜１０を形成している。皮膜１０は、底面部２２のフランジ部２３の近傍からケージ本体２１の最も奥側まで、及び、側面部２８と側面部２９との間に樹脂を塗布することによって形成されており、底面部２２の大部分を覆っている。また、皮膜１０は、犬や猫などの爪が食い込む程度の柔軟性を備えており、構造については後で詳細に述べるが、２層の樹脂から構成されている。さらに、皮膜１０の手前側の周辺領域１１は、手前側に向かって漸次薄くなるように形成されている。
【００１９】
したがって、本発明の第１の実施の形態に係る療養用ケージ２０は、ステンレス鋼の底面部がむき出しになっている従来技術に係る療養用ケージのように収容した動物が四肢を滑らせてけがをしたり、ストレスを与えたりすることを防止できる。さらに、ステンレス鋼のように動物の体温を奪わないので、動物の体温維持が容易になる上に、ステンレス鋼の冷たい感触によるストレスを動物に与えることがない。また、タオルを敷いて滑り止めとする必要がないので、獣医師や動物看護師の作業負担を大幅に軽減できる。くわえて、爪とステンレス鋼が当たる時に発生する高く耳障りな音を消すことができるので、周辺のケージに収容した動物や、獣医師、付き添い介護をする飼い主などに対してこの音によるストレスを与えることがない。また、皮膜１０の手前側の周辺領域１１に収容した動物の爪が引っ掛かって、皮膜１０が底面部２２から剥がることを防止できるので、皮膜１０の下面側に糞尿や血液が浸入することを防止できる。くわえて、収容した動物が爪を折ってけがをすることも防止できる。
【００２０】
次に、本発明の第２の実施の形態に係る動物用処置台について説明する。図２は、第２の実施の形態に係る動物用処置台を示す図であり、（ａ）は平面図、（ｂ）は側面図である。図２において、１３は皮膜、１４ａ、１４ｂ及び１５は周辺領域、３０は動物用処置台、３１はシンク、３２は縁部、３３は底面部、３４は側面部、３５は混合水栓、３６は水栓ハンドル、３７は排水トラップ、３８及び３９は側面部であり、その他の符号は図１と同じものを示す。
【００２１】
図２（ａ）に示すように、本発明の第２の実施の形態に係る動物用処置台３０は、シンク３１を設けたものであり、動物載置面部となる底面部３３に患者動物を立たせた状態で、体毛を刈り上げたり、混合水栓３５及び水栓ハンドル３６を使って動物の体を洗ったりするものである。さらに、ここでは図示していないが、縁部３２に簀の子を載置し、さらに簀の子の上に患者動物を横たわらせて、又は、底面部３３に患者動物を立たせて処置を行うこともある。また、図２（ｂ）に示すように、シンク３１の底面部３３には、排水トラップ３７の周辺部を除いて皮膜１３を形成している。くわえて、底面部３３の端縁部に連続するように側面部３４と側面部３８が形成されている。側面部３４と側面部３８とは、底面部３３の垂直に形成された周辺面部である側面部３４と側面部３８との下端部近傍に、皮膜１３の周辺領域の一部が被るようにしている。さらに、後で詳しく述べるが、側面部３４と側面部３８との下端部近傍に被っている周辺領域１４ａと周辺領域１４ｂとは、上方の端部に向かって漸次薄くなるように形成されている。なお、図２（ｂ）には現れていないが、側面部３９においても同様に、上方の端部に向かって漸次薄くなるような周辺領域が形成されている。構成としている。さらに、排水トラップ３７の周辺部に隣接する周辺領域１５は、排水トラップ３７側に向かって漸次薄くなるように形成されている。
【００２２】
したがって、本発明の第２の実施の形態に係る動物用処置台３０は、ステンレス鋼の底面部がむき出しになっている従来技術に係る動物用処置台の底面部のように、底面部に立たせた動物が四肢を滑らせてけがをしたり、滑らないように踏ん張ったりすることによって動物にストレスを感じることを防止できる。さらに、せっけんやシャンプーを使用するときには、動物が四肢を滑らせないように、獣医師や動物看護師が体を支える場合もあるが、本発明の動物用処置台３０ではそのようなことをする必要がないので、獣医師や動物看護師の作業負担を大幅に軽減できる。くわえて、爪とステンレス鋼が当たる時に発生する高い音を消すことができるので、周辺のケージに収容した動物や、獣医師などに対してこの音によるストレスを与えることがない。また、構造については後で詳細に述べるが、皮膜１０の周辺領域１４ａ若しくは１４ｂ、又は、周辺領域１５に患者動物の爪が引っ掛かって、皮膜１０が底面部３３から剥がることを防止できるので、皮膜１０の下面側に糞尿や血液、刈り取った体毛などが浸入することを防止できる。くわえて、患者動物が爪を折ってけがをすることも防止できる。
【００２３】
さらに、本発明の第３の実施の形態に係る診察台について説明する。図２は、第３の実施の形態に係る診察台を示す斜視図である。図３において、１７は皮膜、４０は診察台、４１は天板、４２は枠状縁辺部、４４は側面部、４５は伸縮脚であり、その他の符号は図１と同じものを示す。
【００２４】
図３に示すように、本発明の第３の実施の形態に係る診察台４０は、伸縮脚４６の上端部に天板４１を設けたものであり、天板４１に動物を立たせた、又は横たわらせた状態で診察を行うものである。さらに、天板４１の表面に皮膜１７を形成して、患者動物の身体がステンレス鋼ではなく皮膜１７に接するようにしている。皮膜１７の周囲は、枠状縁辺部４２によって囲まれている。枠状縁辺部４２とこれに連続する側面部４４は、ステンレス鋼が露出している。
【００２５】
したがって、本発明の第３の実施の形態に係る診察台４０は、ステンレス鋼の底面部がむき出しになっている従来技術に係る天板のように、ここに立つ動物が四肢を滑らせてけがをしたり、滑らないように踏ん張ることによってストレスを感じたりすることを防止できる。また、動物を天板４１に横たわらせるときには、動物の体温を奪うことを防止できる。さらに、爪とステンレス鋼が当たる時に発生する高い音を消すことができるので、周辺にいる動物の飼い主や獣医師などに対してこの音によるストレスを与えることがない。また、構造については後で詳細に述べるが、皮膜１７の周辺領域においても、膜厚が周端縁部に向かって漸次薄くなるように形成されているので、皮膜１７の周辺領域に患者動物の爪が引っ掛かって、皮膜１０が底面部３３から剥がれることを防止できるので、皮膜１０の下面側に糞尿や血液が浸入することを防止できる。くわえて、患者動物が爪を折ってけがをすることも防止できる。
【００２６】
次に、本発明の皮膜の構造について説明する。図４は、皮膜の構造を示す断面図であり、（ａ）は療養用ケージにおける構造、（ｂ）は動物用処置台における構造、（ｃ）を診察台における構造を示す。図４において、１０ａは第１樹脂層、１０ｂは第２樹脂層、１２は縁辺部、１３ａは第１樹脂層、１３ｂは第２樹脂層、１６は縁辺部、１７ａは第１樹脂層、１７ｂは第２樹脂層、１８は周辺領域、１９は縁辺部、４３は傾斜部であり、その他の符号は図１、図２及び図３と同じものを示す。
【００２７】
図４（ａ）に示すように、療養用ケージ２０の底面部２２に形成した皮膜１０は、第１樹脂層１０ａと第２樹脂層１０ｂとを積層している。第１樹脂層１０ａは、ステンレス鋼に対して付着性が良い下地となる層であり、ステンレス用プライマー（下地材）によって形成する。第２樹脂層１０ｂは、動物の爪を食い込みやすくするための層であり、柔軟性が高い弾性ウレタン樹脂からなる。なお、第２樹脂層１０ｂの弾性ウレタン樹脂は、衛生管理の観点から抗菌剤を混入したものを使用することが望ましい。ただし、抗菌剤を混入すると、第２樹脂層１０ｂの仕上がり状態が美しくならない場合があるので、第２樹脂層１０ｂに抗菌剤を混入せず、第２樹脂層１０ｂの上に抗菌剤を混入した第３樹脂層を薄く形成してもよい。
【００２８】
また、図４（ｂ）に示すように、動物用処置台３０の底面部３３に形成した皮膜１３も、第１樹脂層１３ａと第２樹脂層１３ｂとを積層している。さらに、図４（ｃ）に示すように、診察台４０の天板４１に形成した皮膜１７も、第１樹脂層１７ａと第２樹脂層１７ｂとを積層している。これら３つの皮膜の厚みは、動物用医療機器の動物載置面部の用途によって異なるが、おおむね、第１樹脂層が０．０５〜２ｍｍ、第２樹脂層が１．５〜７ｍｍとなる。なお、第１樹脂層又は第２樹脂層の材質又は厚さは、以上述べたものに限定されるものではない。また、第２樹脂層の上に特定の色彩を持つ第３樹脂層を形成して、動物用医療機器のデザイン性を向上することも可能である。
【００２９】
また、療養用ケージ２０では、図４（ａ）に示すように、底面部２２に形成した皮膜１０は、周辺領域１１の膜厚が縁辺部１２に向かって下り勾配となるように、つまりフランジ部２３側に近づくに従って漸次薄くなるように形成されている。皮膜１０の周辺領域１１は、患者動物の四肢が届くところに形成されている。治療を施している患者動物の中には、病気やけがの影響で突然に暴れるものがいる。したがって、皮膜１０の周辺領域１１の縁辺部１２が垂直に切り立った形状になっていると、突然に暴れ出した患者動物の爪が垂直に切り立った部分に引っ掛かり、爪を折ったり爪の周囲の皮膚を痛めたりするなどの不測の事態を招くこともある。そこで、周辺領域１１の膜厚を縁辺部１２に向かって漸次薄くなるようにして、爪が引っ掛からないようにしている。また、療養中で比較的体力がある動物が図１の周辺領域１１の縁辺部１２に爪を引っ掛けて遊ぶと、皮膜１０がそこから剥がれていき、剥がれたところに糞尿や血液などが浸入することも考えられる。したがって、周辺領域１１の膜厚を縁辺部１２に向かって漸次薄くなるようにすることは、衛生管理の観点においても非常に有意義である。また、皮膜１０は、図１及び図４（ａ）に図示していないが、療養用ケージ２０の手前側に加えて、奥側と左右側方側の周辺領域も端縁部に向かって膜厚が漸次薄くなるように形成されている。つまり、周辺領域全体が周端縁部に向かって部全体を膜厚が漸次薄くなるように形成されているので、皮膜１０の周辺領域全体において前述の作用を奏するようになされている。なお、療養用ケージ２０の左右側方側の周辺領域は、以下に説明するところの周辺領域１４ａ及び１４ｂと同様の構造を有する。
【００３０】
動物用処置台３０では、皮膜１３の周辺領域１４ａ及び１４ｂと周辺領域１５とにおいてそれぞれ異なる構造となっている。すなわち、周辺領域１５は周辺領域１１と同様に、排水トラップ３７側に向かって下り勾配となるようになされている。周辺領域１４ｂは、図４（ｂ）に示すように、第１樹脂層１３ａと第２樹脂層１３ｂとが共に、側面部３８との下端部近傍において上方の端部に向かって漸次薄くなるように、急な上り勾配となるように形成されている。すなわち、被っている周辺領域１４ｂは、側面部３８の下端部近傍の部分を覆っており、その縁辺部１６には患者動物の爪が引っ掛からないように形成されている。また、図示していない周辺領域１４ａ、及び、側面部３９側の周辺領域も同様である。したがって、皮膜１０の周辺領域１１と同様の作用効果が得られる。
【００３１】
診察台４０の天板４１に形成した皮膜１７は、図４（ｃ）に示すように、周辺領域１８は天板４１の傾斜部４３の上に形成されているが、その表面は枠状縁辺部４２側に向かって水平方向に延びており、周辺領域１１や皮膜１０の周辺領域１５とは異なる。一方、傾斜部４３が枠状縁辺部４２側に向かって上り勾配に形成されているので、周辺領域１８は傾斜部４３に接している面が枠状縁辺部４２側に向かって上り勾配となっている。なお、皮膜１７の４辺の周辺領域はすべて図４（ｃ）に示すようになされている。このような構造によって、膜厚が周端縁部に向かって漸次薄くなるようにしているが、皮膜１０の周辺領域１１と同様の作用効果が得られる
【００３２】
なお、周辺領域１８の表面も上り勾配にし、縁辺部１９を枠状縁辺部４２側にさらに近づけるとより好ましい作用効果が得られる。図１１は、第３の実施の形態に係る診察台の変形例を示す断面図である。図１１において、１８ａは周辺領域、１９ａは縁辺部であり、その他の符号は図４と同じものを示す。図１１に示す診察台の変形例では、周辺領域１８ａを枠状縁辺部４２側に向かって上り勾配になるように形成しており、縁辺部１９ａを枠状縁辺部４２側にさらに近づけている。なお、枠状縁辺部４３の表面に皮膜を形成すると、ストレッチャーや医療器具を載置したトレーなどが衝突したときに剥がれる可能性があるので、枠状縁辺部４３の表面には皮膜を形成しないことが望ましい。
【００３３】
続けて、第１の実施の形態における皮膜の形成手順について説明する。  図５は、第１の実施の形態における皮膜の形成手順を示す断面図（１）である。図５において、２２ａは表面、４７はマスキングテープ、４８はステンレス用プライマーであり、その他の符号は図４と同じものを示す。また、図６は、第１の実施の形態における皮膜の形成手順を示す断面図（２）である。図６において用いた符号は、全て図４及び図５と同じものを示す。さらに、図７は、第１の実施の形態における皮膜の形成手順を示す断面図（３）である。図７において、４９は弾性ウレタン樹脂であり、その他の符号は図４と同じものを示す。
【００３４】
まず、図５（ａ）に示すように、第１樹脂層１０ａの付着性を高めるために、療養用ケージ２０の底面部２２にサンドブラストを施す、又は、サンドペーパーを用いることによって表面２２ａを荒らす。次に、図５（ｂ）に示すように、底面部２２の手前側にマスキングテープ４７を貼り付ける。そして、図５（ｃ）に示すように、底面部２２にステンレス用プライマー４８を塗布する。このとき、マスキングテープ４７の表面にも塗布する。さらに、ステンレス用プライマー４８が固化する前にマスキングテープ４７を剥がす。そうすると、マスキングテープ４７の表面上のステンレス用プライマー４８が除去され、図６（ｄ）に示す状態となるが、まだ固化していないので、ステンレス用プライマー４８の端部が図６（ｅ）に示すように手前側に拡がる。ステンレス用プライマー４８が固化して第１樹脂層１０ａとなったら、図６（ｆ）に示すように、新たなマスキングテープ４７を同じ部位に貼り付ける。次に、図７（ｇ）に示すように、第１樹脂層１０ａ上に弾性ウレタン樹脂４９を流し込む。このとき、マスキングテープ４７の第１樹脂層１０ａ側も弾性ウレタン樹脂４９で覆われるようにする。さらに、弾性ウレタン樹脂４９が固化する前にマスキングテープ４７を剥がす。そうすると、マスキングテープ４７の表面上の弾性ウレタン樹脂４９が除去され、図７（ｈ）に示す状態となるが、まだ固化していないので、弾性ウレタン樹脂４９の端部が図７（ｉ）に示すように手前側に拡がる。なお、弾性ウレタン樹脂４９が十分に拡がらない場合には、固化する前に所定形状となるように帯状の板などを使って形を整える。
【００３５】
さらに、第２の実施の形態における皮膜の形成手順について説明する。  図８は、第１の実施の形態における皮膜の形成手順を示す断面図（１）である。図８において、３３ａは表面であり、その他の符号は図４及び図５と同じものを示す。また、図９は、第２の実施の形態における皮膜の形成手順を示す断面図（２）である。図９において用いた符号は、全て図４及び図８と同じものを示す。さらに、図１０は、第１の実施の形態における皮膜の形成手順を示す断面図（３）である。図１０において用いた符号は、すべて図４及び図８と同じものを示す。
【００３６】
まず、図８（ａ）に示すように、第１樹脂層１３ａの付着性を高めるために、シンク３１の底面部３３にサンドブラストを施す、又は、サンドペーパーを用いることによって表面３３ａを荒らす。次に、図８（ｂ）に示すように、側面部３８の下端部近傍にマスキングテープ４７を貼り付ける。そして、図８（ｃ）に示すように、底面部３３にステンレス用プライマー４８を塗布する。このとき、側面部３８の下端部近傍にも塗布する。さらに、ステンレス用プライマー４８が固化する前にマスキングテープ４７を剥がす。そうすると、マスキングテープ４７の表面上のステンレス用プライマー４８が除去され、図９（ｄ）に示す状態となるが、まだ固化していないので、ステンレス用プライマー４８の端部が図９（ｅ）に示すように手前側に拡がる。ステンレス用プライマー４８が固化して第１樹脂層１３ａとなったら、図１０（ｆ）に示すように、新たなマスキングテープ４７を同じ部位に貼り付ける。次に、図１０（ｇ）に示すように、第１樹脂層１３ａ上に弾性ウレタン樹脂４９を流し込む。このとき、マスキングテープ４７の下側にも弾性ウレタン樹脂４９を注ぎかける。さらに、弾性ウレタン樹脂４９が固化する前にマスキングテープ４７を剥がす。そうすると、マスキングテープ４７の表面上の弾性ウレタン樹脂４９が除去され、図１０（ｈ）に示す状態となるが、まだ固化していないので自重によって下方に動いて、弾性ウレタン樹脂４９の端部近傍は盛り上がった部分が薄くなり、図１０（ｉ）に示している状態、ゆるやかな湾曲面になる。なお、弾性ウレタン樹脂４９が所定形状とならない場合には、帯状の板などを使って形を整える。
【００３７】
第３の実施の形態における皮膜の形成手順もほぼ同様であるが、周辺領域１８の表面も上り勾配にしない場合には、第１樹脂層１７ａ上に弾性ウレタン樹脂４９を流し込むだけでよい。図１１に示したように、上り勾配にする場合には、第２の実施の形態と同様の手順が必要となる。この場合も、上り勾配となっている部分は、固化する前には自重によって下方に動き、盛り上がった部分が薄くなって自然にゆるやかな湾曲面になる。なお、いずれに実施の形態においても、弾性ウレタン樹脂の脱泡を促進する観点から、斜め上方からマスキングテープを設ける部位に向かって弾性ウレタン樹脂を注ぎ込むことが好ましい。
【００３８】
本発明によれば、患者動物は動物載置面部に楽に立つことができ、四肢を滑らせてけがをしたり、滑らないように踏ん張ることによってストレスを感じたりすることがない。ステンレス鋼の天板がむき出しになっている従来技術に係る診察台を用いる場合、診察台の天板の上に動物を立たせる時間をなるべく短くする方が好ましかったが、本発明に係る診察台ではそのような制約がない。そこで、以下に説明する第４の実施の形態に係る診察台を実現することが可能となってくる。
【００３９】
図１１は、第４の実施の形態に係る診察台を示す斜視図である。図１１において、５０は診察台、５１は天板、５２は皮膜形成領域、５３は縁材、５４は伸縮脚である。診察台５０は、伸縮脚５４上に設けた天板５１を円形板状に形成している。天板５１は、縁材５３に囲まれた領域を皮膜形成領域５２としている。天板５１を円形板状に形成することによって、獣医師が皮膜形成領域５２に立たせた患者動物を様々な方向から時間を掛けて観察することが容易になる。
【００４０】
つまり、従来の矩形板状の天板では、天板の角部に白衣などを引っ掛けやすく、また体をぶつけたりするので、天板の周りを回りながら診察することはあまり行われなかった。さらに、患者動物を天板の長手方向に向けて立たせる、又は、横たわらせる必要があった。しかし、円形板状にすれば、このような問題が全て解決する。よって、獣医師と患者動物の飼い主が天板５１を囲み、患者動物を様々な方向から見ながら話し合おうことなども容易になる。診察台の天板の上に患者動物を立たせる時間を長くすることができるので、診察や、獣医師と飼い主とのコミュニケーションを充実できるという非常に好ましい二次的な効果も奏する。以上のように、天板を有し、該天板に動物を載置可能なステンレス鋼からなる動物載置面部を備えてなる診察台において、前記天板は略円形板状に形成され、前記動物載置面に樹脂からなると共に周辺領域の膜厚が周端縁部に向かって漸次薄くなるように形成されている皮膜が形成されていることを特徴とする診察台は、動物医療の質的充実を図ることも可能となる。
【００４１】
なお、本発明は以上に説明した内容に限定されるものではなく、例えば、ストレッチャーや、集中治療用ケージ、手術台などにおいても同様の皮膜を形成した構成にすることができる。さらに、皮膜は、最上部に抗菌性を有する樹脂の層を形成して衛生管理を容易にしたり、特定の色彩を有する樹脂の層を形成してデザイン性を向上したりすることも可能である。また、皮膜の周辺領域において、動物用医療機器の構造上の理由などから、患者動物の爪が掛かる可能性がない、又は、非常に低い部分が存在する場合には、その部分について膜厚が周端縁部に向かって漸次薄くなるように形成しなくてもよい。すなわち、各請求項に記載した範囲を逸脱しない限りにおいて種々の変形を加えることが可能である。
【符号の説明】
【００４２】
１０    皮膜
１０ａ  第１樹脂層
１０ｂ  第２樹脂層
１１    周辺領域
１２    縁辺部
１３    皮膜
１３ａ  第１樹脂層
１３ｂ  第２樹脂層
１４ａ  周辺領域
１４ｂ  周辺領域
１５    周辺領域
１６    縁辺部
１７    皮膜
１７ａ  第１樹脂層
１７ｂ  第２樹脂層
１８    周辺領域
１８ａ  周辺領域
１９    縁辺部
１９ａ  縁辺部
２０    療養用ケージ
２１    ケージ本体
２２    底面部
２２ａ  表面
２３    フランジ部
２４    扉支持材
２５    ヒンジ
２６    ヒンジ
２７    扉
２８    側面部
２９    側面部
３０    動物用処置台
３１    シンク
３２    縁部
３３    底面部
３３ａ  表面
３４    側面部
３５    混合水栓
３６    水栓ハンドル
３７    排水トラップ
３８    側面部
３９    側面部
４０    診察台
４１    天板
４２    枠状縁辺部
４３    傾斜部
４４    側面部
４５    伸縮脚
４７    マスキングテープ
４８    ステンレス用プライマー
４９    弾性ウレタン樹脂
５０    診察台
５１    天板
５２    皮膜形成領域
５３    縁材
５４    伸縮脚
【図１】
2013126531.tif 000003
【図２】
2013126531.tif 000004
【図３】
2013126531.tif 000005
【図４】
2013126531.tif 000006
【図５】
2013126531.tif 000007
【図６】
2013126531.tif 000008
【図７】
2013126531.tif 000009
【図８】
2013126531.tif 000010
【図９】
2013126531.tif 000011
【図１０】
2013126531.tif 000012
【図１１】
2013126531.tif 000013
【図１２】
2013126531.tif 000014